(57)【要約】【課題】トナーの漏れが抑制されたトナー容器用通気フィルタ、通気部材、およびそれらが容器の通気部に取り付けられたトナー容器を提供する。【解決手段】トナー容器用通気フィルタ１は、フッ素樹脂およびポリオレフィンからなる群から選ばれる少なくとも１種の樹脂を含む複数層の多孔体６と少なくとも１層の通気性支持材７とを含み、複数層の多孔体６から選択される少なくとも１対の多孔体の間に少なくとも１層の通気性支持材７が配置されている。トナー容器は、トナー容器用通気フィルタが、トナーを収容するため空間を有する容器の通気部に取り付けられていることを特徴とする。【選択図】  図１
2004279973.tif 000002
【特許請求の範囲】
【請求項１】
フッ素樹脂およびポリオレフィンからなる群から選ばれる少なくとも１種の樹脂を含む複数層の多孔体と、少なくとも１層の通気性支持材とを含み、前記複数層の多孔体から選ばれる少なくとも１対の多孔体の間に、少なくとも１層の前記通気性支持材が配置されていることを特徴とするトナー容器用通気フィルタ。
【請求項２】
前記フッ素樹脂が、ポリテトラフルオロエチレンである請求項１に記載のトナー容器用通気フィルタ。
【請求項３】
一方の面の少なくとも一部は、前記多孔体の一方の面によって形成されている請求項１または２に記載のトナー容器用通気フィルタ。
【請求項４】
粘着層をさらに含み、一方の面の周縁は、前記粘着層の一方の面から形成されている請求項１〜３のいずれかの項に記載のトナー容器用通気フィルタ。
【請求項５】
周縁の少なくとも一部において、互いに隣接する層が密着している請求項１〜４のいずれかの項に記載のトナー容器用通気フィルタ。
【請求項６】
前記多孔体の、粒径が０．３〜０．５μｍのジオクチルフタレートを、５．３ｃｍ／ｓの流速で透過させたときの捕集効率が９０％以上である請求項１〜５のいずれかの項に記載のトナー容器用通気フィルタ。
【請求項７】
請求項１〜６のいずれかの項に記載のトナー容器用通気フィルタを複数含み、複数の前記トナー容器用通気フィルタが剥離可能なシート状物に貼り付けられていることを特徴とするトナー容器用通気フィルタの保持材。
【請求項８】
前記シート状物が帯状であり、複数の前記トナー容器用通気フィルタが貼り付けられた前記シート状物がロール状に巻き取られている請求項７に記載のトナー容器用通気フィルタの保持材。
【請求項９】
請求項１〜６のいずれかの項に記載のトナー容器用通気フィルタと、貫通孔を有する支持体とを含み、前記トナー容器用通気フィルタが前記貫通孔を覆うように前記支持体に配置されていることを特徴とする通気部材。
【請求項１０】
前記支持体が、筒状部を含み、前記筒状部の一方の端部に前記トナー容器用通気フィルタが固着された請求項９に記載の通気部材。
【請求項１１】
請求項１〜６のいずれかの項に記載のトナー容器用通気フィルタが、トナーを収容するための空間を有する容器の通気部に取り付けられていることを特徴とするトナー容器。
【請求項１２】
請求項９または１０に記載の通気部材が、トナーを収容するための空間を有する容器の通気部に取り付けられていることを特徴とするトナー容器。
【発明の詳細な説明】
【０００１】
【発明の属する技術分野】
本発明はトナー容器用通気フィルタ、通気部材、これらを用いたトナー容器、およびトナー容器用通気フィルタの保持材に関する。
【０００２】
【従来の技術】
トナー容器には、トナー容器内に生じた負圧や正圧を解消するために通気部が設けられている。負圧や正圧状態は、温度変化やトナー量の減少などにより発生する。この通気部には、トナーが空気と共に外へ漏れ出さないようにフィルタが取り付けられており、このフィルタは、１層のフッ素樹脂多孔体と織布または不織布とから構成されている（例えば、特許文献１参照）。
【０００３】
【特許文献１】
特開平９−３１１５５３号公報（図５、図６、図１０、図１２、５−８頁）
【０００４】
【発明が解決しようとする課題】
このような構造のフィルタにおいては、何らかの力によりフッ素樹脂多孔体にピンホールが生じた場合、ピンホールからトナー漏れが発生するという問題がある。
【０００５】
【課題を解決するための手段】
本発明のトナー容器用通気フィルタは、フッ素樹脂およびポリオレフィンからなる群から選ばれる少なくとも１種の樹脂を含む複数層の多孔体と、少なくとも１層の通気性支持材とを含み、前記複数層の多孔体から選ばれる少なくとも１対の多孔体の間に、少なくとも１層の前記通気性支持材が配置されていることを特徴とする。
【０００６】
本発明の通気部材は、本発明のトナー容器用通気フィルタと、貫通孔を有する支持体とを含み、前記トナー容器用通気フィルタが前記貫通孔を覆うように前記支持体に配置されていることを特徴とする。
【０００７】
本発明のトナー容器は、本発明のトナー容器用通気フィルタが、トナーを収容するための空間を有する容器の通気部に取り付けられていることを特徴とする。
【０００８】
本発明の別のトナー容器は、本発明の通気部材が、トナーを収容するための空間を有する容器の通気部に取り付けられていることを特徴とする。
【０００９】
【発明の実施の形態】
以下、本発明の好ましい実施形態を図面を参照しながら説明する。
【００１０】
（実施の形態１）
実施の形態１では、本発明のトナー容器用通気フィルタの一例と、そのトナー容器用通気フィルタを用いたトナー容器の一例について説明する。
【００１１】
図１に示すように、トナー容器用通気フィルタ１は、フッ素樹脂およびポリオレフィンからなる群から選ばれる少なくとも１種の樹脂を含む２層の多孔体６と、１層の通気性支持材７とを含み、２層の多孔体６の間に通気性支持材７が配置されている。
【００１２】
本実施の形態のトナー容器用通気フィルタ１では、１対の多孔体６の間に通気性支持材７が配置されているので、外力などにより１対の多孔体６が同時期に破損することを抑制でき、いずれか一方の多孔体６にピンホールが発生しても、他方の多孔体６によりトナー漏れを抑制できる。
【００１３】
図１に示したトナー容器用通気フィルタ１は、２層の多孔体６と１層の通気性支持材７とからなるが、本実施形態のトナー容器用通気フィルタ１はこれに制限されるものではなく、３層以上の多孔体６と２層以上の通気性支持材７とを含んでいてもよい。複数層の多孔体６から選択される少なくとも１対の多孔体６の間に、少なくとも１層の通気性支持材７が配置されていれば、例えば、図４に示すように、複数の多孔体６と複数の通気性支持材７とが交互に積層されていてもよいし、多孔体６および通気性支持材７のいずれか一方もしくは両方が連続して積層されている部分があってもよい。
【００１４】
トナー容器用通気フィルタ１は、ＪＩＳ  Ｋ  ７１２７に準拠して測定された引張強度が１ＭＰａ以上であることが好ましい。図２に示すように、トナー容器用通気フィルタ１が容器５の通気部９に取り付けられた状態で、通気部９から空気を排出して開口部３から容器５内にトナー２を吸引したり、通気部９から空気を送り込んで余分なトナー２を開口部３から排出することを繰り返し行っても、トナー容器用通気フィルタ１の変形、破損を抑制できるからである。引張強度の上限については特に制限はないが、通常、１００ＭＰａ以下である。
【００１５】
トナー容器用通気フィルタ１は、ＪＩＳ  Ｐ  ８１１７に準拠して測定された通気度（ガーレー通気度）が、０．１〜３００ｓｅｃ／１００ｍＬであることが好ましい。トナー容器内外の圧力差を迅速に解消できるからである。
【００１６】
トナー容器用通気フィルタ１の捕集効率は９０％以上であることが望ましい。捕集効率が９０％以上であれば、トナー漏れを十分に防ぐことができるからである。尚、本発明において捕集効率とは、粒径が０．３〜０．５μｍのジオクチルフタレート（ＤＯＰ）を、５．３ｃｍ／ｓの流速で透過させたときの捕集効率であり、下記のようにして求めることができる。
【００１７】
サンプルを有効面積が１００ｃｍ２となるように円形ホルダーにセットし、サンプルを通過する空気の流速を５．３ｃｍ／ｓに調整しながら、サンプルの上流側にＤＯＰ（粒径０．３〜０．５μｍ）を濃度が約１０７個／リットルとなるように供給し、上流側の粒子濃度とサンプルを透過してきた下流側の粒子濃度とをパーティクルカウンターで測定し、その測定値を下記の式に代入する。
【００１８】
捕集効率（％）＝（１−（下流側濃度／上流側濃度））×１００
【００１９】
多孔体６は、フッ素樹脂およびポリオレフィンからなる群から選ばれる少なくとも１種の樹脂を含んでいる。フッ素樹脂としては、ポリテトラフルオロエチレン（以下「ＰＴＦＥ」という）、ポリクロロトリフルオロエチレン、テトラフルオロエチレン−ヘキサフルオロプロピレン共重合体、テトラフルオロエチレン−パーフルオロアルキルビニルエーテル共重合体、テトラフルオロエチレン−エチレン共重合体などが挙げられる。ポリオレフィンのモノマーとしては、例えば、エチレン、プロピレン、４−メチル−１−ペンテン、１−ブテンなどが挙げられる。ポリオレフィンは、これら上記のモノマーを単体で重合したものでもよいし、共重合したものでもよい。これらの樹脂を用いると、精度の良い多孔体が容易にでき、通気安定性の高いトナー容器用通気フィルタを得ることができる。特に、ＰＴＦＥが好ましい。ＰＴＦＥは、高気孔率で精度の良い多孔化が容易だからである。
【００２０】
トナー容器用通気フィルタ１の一方の面は、多孔体６の一方の面から形成されており、その多孔体６が、撥水性に優れ、トナーが付着し難いフッ素樹脂、特に、ＰＴＦＥを含んでいることが好ましい。トナー容器用通気フィルタ１を、上記一方の面が容器の内部空間側に向くように容器に取り付ければ、トナーの浸透や付着が抑制されて、トナー容器用通気フィルタ１の目詰まりを抑制できるからである。
【００２１】
多孔体６の、粒径が０．３〜０．５μｍのジオクチルフタレートを、５．３ｃｍ／ｓの流速で透過させたときの捕集効率が９０％以上であることが好ましい。トナー漏れを十分に防ぐことができるからである。尚、多孔体６の捕集効率も、トナー容器用通気フィルタ１の場合と同様にして求めることができる。
【００２２】
多孔体６の気孔率（体積％）は３０〜９９％であることが好ましい。気孔率が３０〜９９％の多孔体６を用いれば、十分な通気量が確保できるからである。気孔率は、多孔体６の片面の面積Ｓ、厚みｄ、重量ｍおよび比重ｒとから、下記の式により求めることができる。
【００２３】
気孔率（体積％）＝［１−（ｍ／（Ｓ×ｄ×ｒ））］×１００
【００２４】
多孔体６の孔径は、通常１０μｍ以下、さらには、０．０１μｍ〜５μｍであることが好ましい。孔径が大きすぎると多孔体６が強度不足となったり、トナー漏れが発生し易くなるからである。
【００２５】
多孔体６の厚さは、通常２μｍ以上、さらには、１０μｍ〜１００μｍであることが好ましい。薄すぎると多孔体６の強度不足により、トナー容器の内部圧力の上昇によってトナー漏れが発生し易くなり、厚すぎると通気性が低下するからである。
【００２６】
上記した多孔体６は、従来から用いられてきた方法により作製することができる。以下にその作製方法の一例を、ＰＴＦＥ多孔体を例に挙げて説明する。
【００２７】
まず、ＰＴＦＥファインパウダーに液状潤滑剤を加えたペースト状の混和物を予備成形する。液状潤滑剤はＰＴＦＥファインパウダーの表面を濡らすことができ、抽出や乾燥によって除去できるものであれば特に制限されない。例えば、ナフサ、ホワイトオイルなどの炭化水素を使用できる。液状潤滑剤の添加量はＰＴＦＥファインパウダー１００重量部に対して５〜５０重量部程度が適当である。予備成形は、液状潤滑剤が絞り出されない程度の圧力で行う。予備成形体をペースト押出や圧延によってシート状に成形し、得られたＰＴＦＥ成形体を少なくとも一軸方向に延伸して未焼成のＰＴＦＥ多孔体を得る。なお、延伸は液状潤滑剤を除去してから行うことが好ましい。この未焼成のＰＴＦＥ多孔体は、ＰＴＦＥの融点以上の温度で加熱し焼成すれば、強度を高めることができる。
【００２８】
通気性支持材７は、材質、構造、形態については特に制限されないが、多孔体６よりも通気性が高い材料、例えば、不織布、織布、メッシュ（網目状シート）、スポンジ、フォーム、金属多孔体、金属メッシュ、その他の多孔質材料を用いることが好ましい。特に、強度、柔軟性、作業性の点からは不織布が好ましい。不織布の目付け量は、１０〜５００ｇ／ｍ２であることが好ましい。通気性支持材７の材料について特に制限はなく、ポリオレフィン（ポリエチレン（ＰＥ）、超高分子量ポリエチレン（ＵＨＭＷＰＥ）、ポリプロピレン（ＰＰ）など）、ポリアミド、ポリエステル（ポリエチレンテレフタレート（ＰＥＴ）など）、芳香族ポリアミド、またはこれらの複合材などを用いることができる。特には、プラスチック容器等への溶着が容易な、融点が２５０℃以下の熱可塑性樹脂を含んでいることが好ましい。
【００２９】
多孔体６と通気性支持材７は、単に重ねあわせるだけでもよく、互いに接合してもよい。接合は、例えば、接着剤ラミネート、熱ラミネート、加熱溶着、超音波溶着、振動溶着、接着剤による接着などの方法により行うことができる。例えば、熱ラミネートにより積層する場合は、加熱により通気性支持材７の一部を溶融して多孔体６と通気性支持材７とを接着すればよい。また、ホットメルトパウダーのような融着剤を介在させて接着してもよい。
【００３０】
トナー容器用通気フィルタ１は、図３に示すように、周縁の少なくとも１部において、互いに隣接する層が密着していることが好ましい。周縁の少なくとも１部において、互いに隣接する層が密着していると、１層の多孔体６にピンホールが発生した場合に、トナー容器用通気フィルタ１の端部からトナーが漏れることを抑制できるからである。密着は、加熱溶着、超音波溶着、熱圧縮、粘着材による接着、トナー容器用通気フィルタ１の周縁をリング止めする等の方法により行うことができる。
【００３１】
トナー容器用通気フィルタ１には、トナー容器用通気フィルタの性質またはトナーの性質に応じて撥水処理、撥油処理などの撥液処理が施されていてもよい。撥液処理は、表面張力の小さな物質を塗布し、乾燥後、キュアすることにより行うことができる。撥液剤としては、多孔体６または通気性支持材７よりも低い表面張力の被膜を形成できれば特に限定されないが、パーフルオロアルキル基を有する高分子が好適である。このような高分子としては、例えば、「フロラード」（住友スリーエム製）、「スコッチガード」（住友スリーエム製）、「テックスガード」（ダイキン工業製）、「ユニダイン」（ダイキン工業製）、「アサヒガード」（旭硝子製）など（すべて商品名）を利用してもよい。撥液剤の塗布は、含浸、スプレーなどにより行えばよい。撥液剤の塗布量は十分な撥液効果が得られ、かつトナー容器用通気フィルタ１の通気性が妨げられないように調整することが好ましい。撥液処理は、多孔体６にのみ施してもよいし、多孔体６および通気性支持材７の両方に施してもよい。
【００３２】
図２および図５に示すように、トナー容器用通気フィルタ１が、容器５の通気部９を覆うことができる形状をしている場合、トナー容器用通気フィルタ１の一方の面の周縁が粘着層８の一方の面から形成されていることが好ましい。トナー容器用通気フィルタ１が粘着層８を含み、トナー容器用通気フィルタ１の一方の面の周縁が粘着層８の一方の面から形成されていると、通気部９への取り付け（図２参照）が容易だからである。粘着層８には、例えば、両面テープ等を用いることができる。
【００３３】
トナー容器用通気フィルタ１の形状、大きさについては特に制限はない。図５に示した例では、円形状をしているが、容器５の通気部９を覆うように配置できればどのような形状であってもよい。
【００３４】
トナー容器用通気フィルタ１は、通気部９（図２参照）へ取り付けられる前においては、図６に示すように、剥離可能なシート状物上に貼り付けられて、保管または輸送等されることが好ましい。複数のトナー容器用通気フィルタ１が剥離可能なシート状物に貼り付けられたトナー容器用通気フィルタの保持材は、取り扱いが容易であり、トナー容器用通気フィルタ１を通気部９へ取り付ける際の自動化が容易となる。
【００３５】
例えば、トナー容器用通気フィルタ１が粘着層８を含む場合（図５参照）、図６（ａ）に示すように、表面にシリコンが塗布されたセパレータシート１８上に複数のトナー容器用通気フィルタ１を貼り付けて保管等する。また、トナー容器用通気フィルタ１が上記粘着層８を含まない場合には、図６（ｂ）に示すように、セパレータシート１８と粘着性シート１９との間に複数のトナー容器用通気フィルタ１を挟んで保管等する。図６（ａ）および図６（ｂ）に示したシート状物（図６（ａ）ではセパレータシート１８、図６（ｂ）ではセパレータシート１８および粘着性シート１９）は帯状であってもよく、複数のトナー容器用通気フィルタ１が貼り付けられた上記シート状物はロール状に巻き取られていてもよい。
【００３６】
図２には、トナー容器用通気フィルタ１が取り付けられたトナー容器の一例を示している。本実施の形態のトナー容器は、図２に示すように、トナー容器用通気フィルタ１と、通気部９、開口部３およびトナー２を内部に収容するための空間を有する容器５とを含んでいる。トナー２が充填されたトナー容器を、レーザープリンター、ファクシミリ等の電子写真画像形成装置に装着すれば、開口部３からトナー２をプリンタヘッドなどの描画手段へ送り込むことができる。
【００３７】
図７〜図９に、本実施の形態のトナー容器用通気フィルタ１が取り付けられたトナー容器の他の例を示している。これらのトナー容器は、本実施の形態のトナー容器用通気フィルタ１が取り付けられていること以外は従来からある一般的なトナー容器と同様の構造をしている。
【００３８】
図７に示した本実施の形態のトナー容器は、円筒形をしており、トナー容器用通気フィルタ１とトナー２を内部に収容するための空間を有する容器５とを含んでいる。容器５は、トナー容器用通気フィルタ１によって覆われた通気部９、スライドさせることにより開口部（図示せず）を開閉可能とするシャッター部材１１と、容器５の内部に配置されて、トナーを上記開口部から排出する掻きだし部材（図示せず）とを備えている。
【００３９】
図８に示した本実施の形態のトナー容器では、画像形成装置の感光ドラムにトナーを供給する現像ローラ１３と、トナー２を収容するための空間を有するとともに、上記現像ローラ１３を支持する容器５と、容器５の通気部９を覆うトナー容器用通気フィルタ１とを含んでいる。容器５は、トナーを攪拌するための攪拌バー１４と、現像ローラ１３を露出させるための開口部を開閉可能とするシャッター部材１１とを備えている。
【００４０】
図９に示した本実施の形態のトナー容器は、廃トナーを回収するためのトナー容器であり、トナー２を内部に収容するための空間を有する容器５とトナー容器用通気フィルタ１とを含んでいる。容器５は、トナー容器用通気フィルタ１によって覆われた通気部９と、廃トナーを導入するためのチューブ１５が接続された注入口１６とを備えている。画像形成装置の感光ドラムに残留した未転写トナーは、画像形成装置内のクリーニング装置により感光ドラムから除去され、廃トナー搬送装置により、図９に示すようなトナー容器に送られて収容される。
【００４１】
（実施の形態２）
実施の形態２では、本発明の通気部材の一例と、その通気部材を用いたトナー容器の一例について説明する。
【００４２】
図１０に示すように、本実施の形態の通気部材２１は、実施の形態１のトナー容器用通気フィルタ１と、貫通孔１２を有する支持体１０とを含み、トナー容器用通気フィルタ１が、貫通孔１２を覆うように支持体１０に配置されている。トナー容器用通気フィルタ１は、薄く軽いため、単体ではハンドリング性が悪く、容器へ取り付けるプロセスの自動化が容易でない。トナー容器用通気フィルタ１が支持体１０によって支持されていると、容器への取り付けが容易となる。
【００４３】
図１０および図１１に示すように、支持体１０は、容器５の通気部９内に挿入される筒状部１０ａを含み、トナー容器用通気フィルタ１は、筒状部１０ａの挿入開始側端部（一方の端部）に固着されている。トナー容器用通気フィルタ１が筒状部１０ａの一方の端部に固着されているので、トナー容器用通気フィルタ１を容器５の内部に配置できる。トナー容器用通気フィルタ１を容器５の内部に配置すれば、通気部９におけるトナー滞留領域を減らすことができるので、トナー滞留領域内に残留したトナーによる通気フィルタの目詰まり、すなわち、通気フィルタの性能劣化を防止できる。
【００４４】
トナー容器用通気フィルタ１の支持体１０への固着は、例えば、加熱溶着、超音波溶着、振動溶着、接着剤による接着、粘着層による接着などの方法により行うことができる。
【００４５】
図１１に、図１０に示した通気部材２１を用いたトナー容器の一例を示している。図１１に示すように、トナー容器は、支持体１０にトナー容器用通気フィルタ１が固着された通気部材と、通気部９、開口部３およびトナー２を内部に収容するための空間を有する容器５とを含んでいる。
【００４６】
通気部材２１の容器５への取り付けは、例えば、超音波溶着、熱溶着、振動溶着、接着剤による接着、圧入等の方法により行うことができる。支持体１０と通気部９に、互いに螺合または嵌合する、ネジ溝または嵌合溝等を設ける等して、嵌合または螺合により、通気部材２１を容器５へ取り付けてもよい。圧入、嵌合、螺合による取り付けは、通気部材２１の交換が容易であるため好ましい。
【００４７】
図１２に、図１０に示した通気部材２１を用いたトナー容器の他の例を示している。図１２に示すトナー容器では、容器５が２つの開口部３を備えている。容器５が２つの開口部３を備えているので、通気部９からトナー容器用通気フィルタ１を介して空気を排出して一方の開口部３から容器５内にトナー２を吸引し、通気部９から空気を送り込んで他方の開口部３からり余分なトナーを排出することができる。
【００４８】
尚、容器５に取り付けられるトナー容器用通気フィルタ１または通気部材２１の個数については特に制限されるものではなく、他の面や同じ面に複数個取り付けられていてもよい。トナー容器用通気フィルタ１または通気部材２１を複数個取り付ける場合、トナーが収容されたトナー容器５がどのような姿勢に置かれても、少なくとも一つのトナー容器用通気フィルタ１または通気部材２１がトナーによって塞がれないように、トナー容器用通気フィルタ１または通気部材２１の取り付け位置を決定することが好ましい。
【００４９】
【実施例】
以下、本発明のトナー容器用通気フィルタの一例をさらに詳細に説明する。
【００５０】
（実施例１）
下記のとおり、図１に示した構造のトナー容器用通気フィルタ１を作製した。ＰＴＦＥ多孔体６（日東電工（株）製、「ミクロテックスＮＴＦ１０３３」、厚さ１５μｍ、捕集効率９８．７％）２枚と、ＰＰ製メルトブローン不織布７（厚さ３００μｍ、目付け量４０ｇ／ｍ２）を１枚を用意した。不織布７とＰＴＦＥ多孔体６とを、１６０℃にて接着剤ラミネートした。さらに、不織布７のＰＴＦＥ多孔体６がラミネートされていない面と、もう一枚のＰＴＦＥ多孔体６とを上記と同様にラミネートして、３層構造のトナー容器用通気フィルタ（ガーレー通気度１．６ｓｅｃ／１００ｍｌ）を得た。
【００５１】
（比較例１）
実施例１で用いたＰＴＦＥ多孔体６と不織布７とを１枚ずつ用意し、ＰＴＦＥ多孔体６と不織布７とを実施例１と同様の方法によりラミネートして、図１３に示すような２層構造のトナー容器用通気フィルタ（ガーレー通気度０．７ｓｅｃ／１００ｍｌ）を得た。
【００５２】
（比較例２）
ＰＴＦＥ多孔体（厚さ１０μｍ、捕集効率８２．８％、フラジール通気度４０ｃｍ３／ｃｍ２・ｓ）をトナー容器用通気フィルタ（ガーレー通気度１６００ｓｅｃ／１００ｍｌ）として用意した。
【００５３】
実施例１、比較例１、２において得たトナー容器用通気フィルタ（トナー容器用通気フィルタＡと総称する）について、下記のトナー漏れ試験をした。
【００５４】
トナー容器用通気フィルタＡの両面のうちの、ＰＴＦＥ多孔体の一方の面によって形成される面をトナー接触面とし、シリンジ用交換針（外径×内径  ０．４７ｍｍ×０．１１５ｍｍ）を、上記トナー接触面から不織布７に達するまで突き刺して、上記ＰＴＦＥ多孔体にピンホールを形成した。ＰＴＦＥ多孔体６にピンホールが形成されたトナー容器用通気フィルタＡを、図１４に示した支持体１０に粘着剤１７によって固定した後、乾式トナー２（市販品、シアントナー、平均粒径５μｍ）を収容した容器（ボトル）５に取り付け、トナー容器３１を作製した（トナー容器内の容積５００ｃｍ３、トナー容量２５０ｃｍ３）。このトナー容器３１を、３０ｃｍの高さから１０回落下させた後、トナー容器用通気フィルタＡからのトナー漏れの有無を確認した。
【００５５】
上記試験の結果、実施例１で得たトナー容器用通気フィルタでは、トナー漏れは確認されなかったが、比較例１、２で得たトナー容器用通気フィルタでは、トナー漏れが確認された。いずれか一方の多孔体６にピンホールが発生しても、他方の多孔体６によりトナー漏れを抑制できることが確認できた。
【００５６】
【発明の効果】
以上のとおり、本発明によれば、トナー漏れが抑制されたトナー容器用通気フィルタ、通気部材、これらを用いたトナー容器を提供できる。また、本発明のトナー容器用通気フィルタの保持材も提供できる。
【図面の簡単な説明】
【図１】本発明のトナー容器用通気フィルタの一例を示す断面図
【図２】本発明のトナー容器の一例を示す断面図
【図３】本発明のトナー容器用通気フィルタの他の例を示す断面図
【図４】本発明のトナー容器用通気フィルタの他の例を示す断面図
【図５】本発明のトナー容器用通気フィルタの他の例を示す断面図
【図６】（ａ）および（ｂ）は、トナー容器用通気フィルタの保持材の一例を示す斜視図
【図７】本発明のトナー容器の他の例を示す斜視図
【図８】（ａ）は本発明のトナー容器の他の例を示す斜視図、（ｂ）は（ａ）Ｉ−Ｉ’断面図
【図９】本発明のトナー容器の他の例を示す斜視図
【図１０】本発明の通気部材の一例を示す断面図
【図１１】本発明のトナー容器の他の例を示す断面図
【図１２】本発明のトナー容器の他の例を示す断面図
【図１３】比較例１のトナー容器用フィルタを示す断面図
【図１４】トナー漏れ試験に用いたトナー容器を説明する図
【符号の説明】
１                    トナー容器用通気フィルタ
２                    トナー
３                    開口部
５                    容器
６                    多孔体
７                    通気性支持材
８                    粘着層
９                    通気部
１０                支持体
１０ａ            筒状部
１１                シャッター
１２                貫通孔
１３                現像ローラ
１４                攪拌バー
１５                チューブ
１６                注入口
２１                通気部材
３１                トナー容器
【図１】
2004279973.tif 000003
【図２】
2004279973.tif 000004
【図３】
2004279973.tif 000005
【図４】
2004279973.tif 000006
【図５】
2004279973.tif 000007
【図６】
2004279973.tif 000008
【図７】
2004279973.tif 000009
【図８】
2004279973.tif 000010
【図９】
2004279973.tif 000011
【図１０】
2004279973.tif 000012
【図１１】
2004279973.tif 000013
【図１２】
2004279973.tif 000014
【図１３】
2004279973.tif 000015
【図１４】
2004279973.tif 000016